(57)【要約】【課題】  一方の屋根と他方の屋根とを強固に連結でき且つ連結部のがたつきを防止できる簡易建物を提供する。【解決手段】  本発明の簡易建物１は、前後方向に配置した一方の屋根３と、左右方向に配置した他方の屋根５とを連結してあり、一方の桁７は前後方向に配置し且つ屋根の傾斜方向上側に位置しており、他方の桁１７は左右方向に配置して一端を一方の桁７の側面に連結してあり、他方の横樋１９は左右方向に配置して一端を一方の桁７の側面に連結してあり、連結側妻垂木２１は取付部構成枠２７とパネル受け構成枠２９とから構成する断面中空状の部材であり、取付部構成枠２７は一方の桁７に他方の屋根５側からねじ止めしてあり、パネル受け構成枠２９は屋根パネル端部を受けるパネル受け部を有し且つ取付部構成枠２７に係止して取付部構成枠２７に固定してある。【選択図】      図１
2006283437.tif 000002
【特許請求の範囲】
【請求項１】
前後方向に配置した一方の屋根と、左右方向に配置した他方の屋根とを備え、一方の屋根は一方の桁と一方の横樋とを有し、一方の桁は前後方向に配置してあり且つ屋根の傾斜方向上側に位置し、一方の横樋は一方の桁と間隔をおいて配置してあり且つ屋根の傾斜方向下側に位置し、他方の屋根は他方の桁と他方の横樋と連結側妻垂木とパネル押さえとを有し、他方の桁は左右方向に配置して一端を一方の桁の側面に連結してあり且つ屋根の傾斜方向上側に位置し、他方の横樋は左右方向に配置して一端を一方の桁の側面に連結してあり且つ屋根の傾斜方向下側に位置し、連結側妻垂木は取付部構成枠とパネル受け構成枠とから構成する断面中空状の部材であり且つ他方の桁と他方の横樋との間に架設してあり、取付部構成枠は一方の桁に他方の屋根側から固定してあり、パネル受け構成枠は屋根パネル端部を受けるパネル受け部を有し、取付部構成枠の固定具は連結側妻垂木の中空部内に位置し、パネル押さえは連結側妻垂木に固定してあることを特徴とする簡易建物。
【請求項２】
取付部構成枠は、連結側妻垂木を前後方向に任意の角度に傾斜して一方の桁に固定自在な上下方向寸法を有していることを特徴とする請求項１に記載の簡易建物。
【請求項３】
一方の桁と取付部構成枠との間にはクッション部材を設けてあり、パネル押さえは一方の桁の長手方向に当接するシール部材を有することを特徴とする請求項１又は２に記載の簡易建物。
【発明の詳細な説明】
【技術分野】
【０００１】
本発明は、カーポート等の簡易建物に関する。
【背景技術】
【０００２】
特許文献１には、一方の屋根を前後方向に配置し、他方の屋根を左右方向に配置して、他方の屋根の連結側妻垂木に設けた係止部を一方の屋根の横樋に係止して、一方の屋根の横樋と他方の屋根の連結側妻垂木とを連結することが開示されている。
【０００３】
【特許文献１】特開平９−３２１８１号公報
【発明の開示】
【発明が解決しようとする課題】
【０００４】
しかし、特許文献１の技術では、一方の屋根の横樋に他方の連結側妻垂木を係止しているだけであるから、一方の屋根と他方の屋根との連結部ががたつき易いと共に連結強度に劣るという問題がある。
【０００５】
そこで、本発明は、一方の屋根と他方の屋根とを強固に連結でき且つ連結部のがたつきを防止できる簡易建物の提供を目的とする。
【課題を解決するための手段】
【０００６】
請求項１に記載の発明は、前後方向に配置した一方の屋根と、左右方向に配置した他方の屋根とを備え、一方の屋根は一方の桁と一方の横樋とを有し、一方の桁は前後方向に配置してあり且つ屋根の傾斜方向上側に位置し、一方の横樋は一方の桁と間隔をおいて配置してあり且つ屋根の傾斜方向下側に位置し、他方の屋根は他方の桁と他方の横樋と連結側妻垂木とパネル押さえとを有し、他方の桁は左右方向に配置して一端を一方の桁の側面に連結してあり且つ屋根の傾斜方向上側に位置し、他方の横樋は左右方向に配置して一端を一方の桁の側面に連結してあり且つ屋根の傾斜方向下側に位置し、連結側妻垂木は取付部構成枠とパネル受け構成枠とから構成する断面中空状の部材であり且つ他方の桁と他方の横樋との間に架設してあり、取付部構成枠は一方の桁に他方の屋根側から固定してあり、パネル受け構成枠は屋根パネル端部を受けるパネル受け部を有し、取付部構成枠の固定具は連結側妻垂木の中空部内に位置し、パネル押さえは連結側妻垂木に固定してあることを特徴とする。
【０００７】
請求項２に記載の発明は、請求項１に記載の発明において、取付部構成枠は、連結側妻垂木を前後方向に任意の角度に傾斜して一方の桁に固定自在な上下方向寸法を有していることを特徴とする。
【０００８】
請求項３に記載の発明は、請求項１又は２に記載の発明において、一方の桁と取付部構成枠との間にはクッション部材を設けてあり、パネル押さえは一方の桁の長手方向に当接するシール部材を有することを特徴とする。
【発明の効果】
【０００９】
請求項１に記載の発明によれば、他方の屋根の連結側妻垂木を一方の屋根の桁に固定しており且つ他方の桁の一端と他方の横樋の一端とを各々一方の桁に連結しているので、一方の屋根と他方の屋根とを強固に連結でき且つ連結部のがたつきを防止できる。
連結側妻垂木は、取付部構成枠を一方の桁に他方の屋根側から固定してあり、取付部構成枠とパネル受け構成枠とから構成する断面中空状としてあり、取付部構成枠の固定具が中空内に納まり外から見えないので、外観が良い。
【００１０】
請求項２に記載の発明によれば、請求項１に記載の発明と同様な作用効果を奏すると共に、取付部構成枠の長手方向の一端から他端に亘る任意の位置で固定ができる。また、一方の桁に対して取付部構成枠の傾斜角度や寸法等に施工誤差があっても、一方の桁と取付部構成枠とを固定できる。
【００１１】
請求項３に記載の発明によれば、請求項１又は２に記載の発明と同様な作用効果を奏すると共に、パネル押さえが一方の桁との間をシールするシール部材の保持具を兼用しているので、シール部材の保持具を別に設ける必要がなく、部品点数を少なくできると共に施工工数を少なくできる。
パネル押さえに設けたシール部材が一方の桁の長手方向に沿って当接して、連結側妻垂木と一方の桁との間を水密に保持しているので、一方の屋根と他方の屋根との連結部から雨水等が漏れるのを防止できる。
一方の桁と取付部構成枠との間にクッション材を設けているので、一方の桁と取付部構成枠とが更にがたつきにくい。
【発明を実施するための最良の形態】
【００１２】
以下に、添付図面を参照して本発明の実施の形態を説明する。図１（ａ）は図４に示す簡易建物のＡ―Ａ断面図であり、（ｂ）は図１（ａ）のＢ部を拡大して示す断面図であり、図２は図４に示す簡易建物のＣ―Ｃ断面図であり、図３は図４に示す簡易建物をＥ―Ｅ位置で切断した断面図であり、図４は本実施の形態にかかる簡易建物の平面図であり、図５は本実施の形態にかかる簡易建物の正面図である。
第１実施の形態にかかる簡易建物１は、図４に示すように、前後方向に配置した一方の屋根３と、一方の屋根に隣接して配置し且つ左右方向に配置した他方の屋根５とから構成されている。一方の屋根３は、右側を高くして左右方向に傾斜し（図１参照）、他方の屋根５は、前側を高くして前後方向に傾斜している（図３参照）。
一方の屋根３は、一方の桁７と、一方の横樋９と、一組の妻垂木１３、１５とを備えている。一方の桁７は、前後方向にして配置し且つ屋根の傾斜方向上側に位置しており、一方の横樋９は一方の桁７と略平行に配置し且つ屋根の傾斜方向下側に位置している。
一組の妻垂木１３、１５は、前側妻垂木１３と後側妻垂木１５とであり、前側妻垂木１３は屋根の前側で後側妻垂木１５は屋根の後側で、各々一方の桁７と一方の横樋９との間に架設してある。一組の妻垂木１３、１５間には複数の垂木１８が設けてあり、屋根パネル２０がパネル押さえにより垂木１８、１８間及び垂木１８と妻垂木１３（又は１５）間に固定されている。
他方の屋根５は他方の桁１７と、他方の横樋１９と、連結側妻垂木２１と、パネル押さえ２３と備えている。
他方の桁１７は左右方向に配置してあり、且つ屋根の傾斜方向上側に位置している。他方の桁１７は、図１に示すように、一端（一方の屋根側端）１７ａを連結具１２により一方の桁７の側面７ａに連結している。連結具１２は、略Ｌ字状金具１４とねじ１６で構成してあり、Ｌ字の一側を他方の桁１７の側面にねじ１６で止め他側を一方の桁７の側面７ａにねじ１６で止めてある。
他方の横樋１９は、図２に示すように、他方の桁１７と略平行に配置し且つ屋根の傾斜方向下側に位置している。他方の横樋１９は、一端（一方の屋根側端）１９ａを連結具２４ａ、２４ｂにより一方の桁７の側面７ａに連結している。連結具２４ａは、略Ｌ字状金具２６とねじ２６ａで構成してあり、Ｌ字の一側を他方の横樋１９の下面にねじ２６ａで止め、他側を一方の桁７にねじ２６ａで止めてある。また、連結具２４ｂは略Ｌ字状金具２８とねじ２８ａで構成してあり、Ｌ字の一側を他方の横樋１９の側面にねじ２８ａで止め、他側を一方の桁７の側面にねじ２８ａで止めてある。
連結側妻垂木２１は、図４に示すように、他方の屋根５の左側で他方の桁１７と他方の横樋１９との間に架設してあり、他方の屋根の右側には連結側妻垂木２１と組みを成す妻垂木２５が架設してある。連結側妻垂木２１は、一方の桁７に隣接して且つ一方の桁７の長手方向に配置してある。
連結側妻垂木２１と、他方の妻垂木２５との間には複数の垂木３０が設けてあり、屋根パネル３２がパネル押さえにより垂木３０、３０間及び垂木３０と妻垂木２５との間に固定されており、連結側妻垂木２１では屋根パネル３２がパネル押さえ２３により固定されている。
連結側妻垂木２１は、図１に示すように、取付部構成枠２７と、パネル受け構成枠２９との２つの構成枠を連結してなり、これらの構成枠２７、２９を連結して断面中空を成している。取付部構成枠２７と、パネル受け構成枠２９とは各々断面略コ字形状を成しており、互いに開口側を対面させるように配置して中空を形成している。
取付部構成枠２７の上下方向寸法Ｓは、連結側妻垂木２１を前後方向に任意の角度に傾斜して配置しても、一方の桁７にねじ止め自在な上下寸法に設定してあり、本実施の形態では、取付部構成枠２７の上下方向寸法Ｓは、前後方向に傾斜した取付部構成枠２７が一方の桁７の上下寸法Ｈ内に収まる寸法に設定している（図１（ａ）参照）。
取付部構成枠２７は一方の桁７の側面に配置されており、一方の桁７と取付部構成枠２７との間にはクッション部材３３が介在されている。クッション材３３は取付部構成枠２７の長手方向に間隔をあけて配置されている。取付部構成枠２７にはクッション部材３３の保持溝３５が形成されていると共に保持溝３５の溝底３５ａにはねじ止め部３７が設けてある。取付部構成枠２７はねじ止め部３７に他方の屋根５側から止めるねじ（固定具）３９で一方の桁７に固定されている。また、取付部構成枠２７は上端にパネル受け構成枠２９とのねじ止め部４１が設けてあり、下端にパネル受け構成枠２９との係合部４３が設けてある。
パネル受け構成枠２９には、屋根パネル３２の端部を受けるパネル受け部４５が設けてある。パネル受け構成枠２９は上端にねじ止め部５１が設けてあり、ねじ止め部５１は取付部構成枠２７のねじ止め部４１に重ねて係合するようになっている。パネル受け構成枠２９の下端には取付部構成枠２７の係合部４３に係合する被係合部４４が形成されている。
パネル押さえ２３は、屋根パネル３２の上面に圧接するシール部材５７の保持部５９と、一方の桁７に圧接するシール部材６１の保持部６３とを有している。パネル押さえ２３のシール部材６１は一方の桁７の長手方向に当接している。
そして、連結側妻垂木では、パネル押さえ２３と、パネル受け構成枠２９のねじ止め部５１と、取付部構成枠２７のねじ止め部４１が共通のねじ５３により固定されている。
【００１３】
次に、本実施の形態にかかる簡易建物１の施行、作用及び効果について説明する。
前後方向に配置した一方の屋根３と左右方向に配置した他方の屋根５を隣接して配置し、一方の桁７と連結側妻垂木２１とを連結する。一方の桁７と連結側妻垂木２１との連結は、取付部構成枠２７のクッション材保持溝３５にクッション材３３を取付けて、取付部構成２７を前側が傾斜方向上側となるように傾斜して一方の桁７に沿って配置し、一方の桁７にねじ３９で止める。
次に、パネル受け構成枠２９の被係合部４４を取付部構成枠２７の係合部４３に係合し、取付部構成枠２７のねじ止め部４１にパネル受け枠構成枠２９のねじ止め部５１を重ねて係合することにより、取付部構成枠２７にパネル受け構成枠２９を係止する。
パネル受け構成枠２９のパネル受け部４５に屋根パネル３２を載せた後、パネル押さえ２３をパネル受け構成枠２９のねじ止め部５１に重ねて、ねじ５３で、取付部構成枠２７と、パネル受け構成枠２９と、パネル押さえ２３とを固定する。これにより、取付部構成枠２７とパネル受け構成枠２９とを連結すると共に同時に連結側妻垂木２１にパネル押さえ２３が固定される。
【００１４】
本実施の形態によれば、連結側妻垂木２１を一方の桁７にねじ３９で固定しており且つ他方の桁１７の一端１７ａと一方の桁７とを連結具１２で、他方の横樋１９の一端１９ａと一方の桁７とを連結具２４ａ、２４ｂで連結しているので、一方の屋根３と他方の屋根５とを強固に連結でき且つ連結部のがたつきを防止できる。
連結側妻垂木２１は、取付部構成枠２７を一方の桁７に他方の屋根５側からねじ３９で止めてあり、取付部構成枠２７にパネル受け構成枠２９を取付けているので、ねじ３９の頭３９ａが連結側妻垂木２１の中空内に納まって外から見えず、外観が良い。
取付部構成枠２７の上下方向寸法Ｓは、連結側妻垂木２１を前後方向に任意の角度に傾斜して配置しても、一方の桁７にねじ（固定具）３９による固定自在な上下寸法を有しているから、取付部構成枠２７の長手方向の一端から他端に亘る任意の位置で固定できると共に、一方の桁７に対して取付部構成枠２７の傾斜角度や寸法等に施工誤差があっても、一方の桁７と取付部構成枠２７とを固定できる。更に、本実施の形態では、取付部構成枠２７の上下方向寸法Ｓは、前後方向に傾斜した取付部構成枠２７が一方の桁７の上下寸法Ｈ内に収まる寸法に設定しているから、取付部構成枠２７が一方の桁７からはみ出さないので外観が良い。
パネル押さえ２３が一方の桁７との間をシールするシール部材６１を保持しており、シール部材６１の保持具を別に設ける必要がないので、部品点数を少なくできると共に施工工数を少なくできる。
パネル押さえ２３に設けたシール部材６１が一方の桁７の長手方向に沿って当接して、連結側妻垂木２１と一方の桁７との間を水密に保持しているので、一方の屋根３と他方の屋根５との連結部から雨水等が漏れるのを防止できる。
一方の桁７と取付部構成枠２７との間にクッション材３３を設けることにより、一方の桁７と取付部構成枠２７とが更にがたつきにくい。
連結側妻垂木２１は、取付部構成枠２７の係合部４３とパネル受け構成枠２９の被係合部４４とを係合し且つ取付部構成枠２７のねじ止め部４１とパネル受け構成枠２９のねじ止め部５１とを係合することにより、取付部構成枠２７とパネル受け構成枠２９とを係止した後に、取付部構成枠２７とパネル受け構成枠２９とをねじ５３で止めているので、取付部構成枠２７とパネル受け構成枠２９とから手を離して両者をねじ止めでき、連結側妻垂木２１の連結が容易にできる。
また、連結側妻垂木２１では、取付部構成枠２７のねじ止め部４１と、パネル受け構成枠２９のねじ止め部５１とパネル押さえ２３との三者をひとつのねじ５３で固定しているから、ねじ止め箇所を少なくでき且つ部品点数も少なくて済む。
【００１５】
本発明は、上述した実施の形態に限らず、本発明の要旨を逸脱しない範囲で種々変形可能である。
例えば、一方の桁７の後側に連結側妻垂木２１を連結する位置に一方の屋根３と他方の屋根５とを配置してもよいし、一方の桁７の前後方向中央部に連結側妻垂木２１を連結するように設けて一方の屋根３と他方の屋根５とが略Ｔ字を成すように配置してもよい。
パネル押さえ２３は、パネル受け構成枠２９と取付部構成枠２７とを止めるねじ５３とは別のねじでパネル受け構成枠２９に固定してもよい。
取付部構成枠２７とパネル受け構成枠２９との固定は、ねじ５３で固定することに限らず、かしめや連結金具等による固定であってもよい。
一方の屋根３は、一方の横樋９を一方の桁７に対して斜めに配置したり前側妻垂木１３に対して後側妻垂木１５とを斜めに配置して、平面視台形等を形成するものであってもよく屋根の形状は限定されない。同様に、他方の屋根５においても、他方の桁１７に対して他方の横樋１９を斜めに配置したり、連結側妻垂木２１に対して妻垂木２５を斜めに配置するものであってもよく屋根の平面視形状は限定されない。
他方の桁１７の一端１７ａを一方の桁７の側面に止める連結具１２に換えて、他方の横樋１９の一端１９ａを一方の桁７の側面に止める連結具２４ａ、２４ｂを用いてもよいし、他方の横樋１９の一端１９ａを一方の桁７の側面に止める連結具２４ａ、２４ｂに換えて、他方の桁１７の一端１７ａを一方の桁７の側面に止める連結具１２を用いてもよいし、各連結具１２、２４ａ、２４ｂの形状や固定の仕方は制限されない。
取付部構成枠２７を一方の桁７に固定する固定具３９はねじに限らず、ボルトやリベット等であってもよく、固定具の種類は限定されない。
【図面の簡単な説明】
【００１６】
【図１】（ａ）は図４に示す簡易建物のＡ―Ａ断面図であり、（ｂ）は図１（ａ）のＢ部を拡大して示す断面図である。
【図２】図４に示す簡易建物のＣ―Ｃ断面図である。
【図３】図４に示す簡易建物のＥ―Ｅ断面図である。
【図４】本実施の形態にかかる簡易建物の平面図である。
【図５】本実施の形態にかかる簡易建物の正面図である。
【符号の説明】
【００１７】
１      簡易建物
３      一方の屋根
５      他方の屋根
７      一方の桁
７ａ    側面
１７    他方の桁
１９    他方の横樋
２１    連結側妻垂木
２３    パネル押さえ
２７    取付部構成枠
２９    パネル受け構成枠
３２    屋根パネル
３３    クッション材
３９    ねじ（固定具）
４５    パネル受け部
６１    シール材
【図１】
2006283437.tif 000003
【図２】
2006283437.tif 000004
【図３】
2006283437.tif 000005
【図４】
2006283437.tif 000006
【図５】
2006283437.tif 000007